(57)【要約】【課題】アウタ側サイドフレームの外側にシートリフタのリンクが設定されても、アウタ側サイドフレームの外側に回転操作式の操作レバーをリンクと干渉させにくい形に設けること。【解決手段】シートリフタ５と、変更前のスライド位置を記憶可能なメモリ機構４Ｂを備えるスライドレール装置４と、を有するシート１である。シートリフタ５が、シートクッション３のアウタ側サイドフレーム３Ｆａの外側に配置されてリンク運動するフロントリンク５Ａとリヤリンク５Ｂとを有する。アウタ側サイドフレーム３Ｆａの外側面部におけるフロントリンク５Ａとリヤリンク５Ｂとの配置間領域にブラケット１０が設けられる。ブラケット１０のアウタ側サイドフレーム３Ｆａの外側面部から外側に張り出した位置に形成された取付座の外側面部にシート幅方向に延びる軸線まわりの回転操作によりメモリ機構４Ｂを操作する操作レバー４Ｃが取り付けられる。【選択図】図１
2019189067.tif 000002
【特許請求の範囲】
【請求項１】
シートクッションの高さを調節可能なシートリフタと、前記シートクッションの前後方向の位置を調節可能かつ変更前の位置を機械的な係合により記憶してスライドが戻される動作により前記変更前の記憶位置に係止させるメモリ機構を備えたスライドレール装置と、を有する乗物用シートであって、
前記シートリフタが、前記シートクッションのアウタ側サイドフレームの外側に配置されて互いに協働したリンク運動により前記シートクッションの高さを調節する前後一対のリンクを有し、
前記アウタ側サイドフレームの外側面部における前記前後一対のリンクの配置間領域にブラケットが設けられ、該ブラケットの前記アウタ側サイドフレームの外側面部から外側に張り出した位置に形成されたシート幅方向に面を向ける取付座の外側面部にシート幅方向に延びる軸線まわりの回転操作により前記メモリ機構を操作する操作レバーが取り付けられる乗物用シート。
【請求項２】
請求項１に記載の乗物用シートであって、
前記操作レバーが、前記ブラケットの前記取付座にシート幅方向に軸を向ける回転軸により回転可能に軸支されると共に操作用のケーブルが繋がれる軸支部と、該軸支部の前端からシート幅方向の外側に折れ曲がって前側へ延びる操作部と、を有するクランク形状とされる乗物用シート。
【発明の詳細な説明】
【技術分野】
【０００１】
本発明は、乗物用シートに関する。詳しくは、シートクッションの高さを調節可能なシートリフタを備えた乗物用シートに関する。
【背景技術】
【０００２】
従来、車両用シートにおいて、シートクッションの座面高さを調節可能なシートリフタを備えた構成が知られている（特許文献１）。上述したシートリフタは、シートクッションの各サイドフレームとフロア上に設けられた左右一対の各サイドフレームとの間をそれぞれ前後一対のリンクで繋ぐリンク機構により構成されている。上述した前後一対の各リンクは、それぞれ、各側のサイドフレームに対して車両外側に位置するオフセットされた配置とされており、これらリンクを介して支えるシートクッションの位置を車両内側寄りにして外側スペースを空ける構成となっている。
【先行技術文献】
【特許文献】
【０００３】
【特許文献１】特開２０１６−０４９７９６号公報
【発明の概要】
【発明が解決しようとする課題】
【０００４】
上記従来技術では、車両外側のサイドフレームの外側に前後一対のリンクが設けられる構成となっている。そのため、車両外側のサイドフレームの外側にシート幅方向の軸線まわりに回転操作されるタイプの操作レバーを配置すると、同操作レバーの操作がいずれかのリンクとの干渉により阻害されやすくなる。本発明は、上述した問題を解決するものとして創案されたものであって、本発明が解決しようとする課題は、アウタ側サイドフレームの外側にシートリフタのリンクが設定されても、アウタ側サイドフレームの外側にシート幅方向の軸線まわりに回転操作されるタイプの操作レバーをリンクと干渉させにくい形に設けられるようにすることにある。
【課題を解決するための手段】
【０００５】
上記課題を解決するために、本発明の乗物用シートは次の手段をとる。
【０００６】
第１の発明は、シートクッションの高さを調節可能なシートリフタと、シートクッションの前後方向の位置を調節可能かつ変更前の位置を機械的な係合により記憶してスライドが戻される動作により変更前の記憶位置に係止させるメモリ機構を備えたスライドレール装置と、を有する乗物用シートである。シートリフタが、シートクッションのアウタ側サイドフレームの外側に配置されて互いに協働したリンク運動によりシートクッションの高さを調節する前後一対のリンクを有する。アウタ側サイドフレームの外側面部における前後一対のリンクの配置間領域にブラケットが設けられる。ブラケットのアウタ側サイドフレームの外側面部から外側に張り出した位置に形成されたシート幅方向に面を向ける取付座の外側面部にシート幅方向に延びる軸線まわりの回転操作によりメモリ機構を操作する操作レバーが取り付けられる。
【０００７】
この第１の発明によれば、操作レバーがブラケットを介してアウタ側サイドフレームから外側にオフセットされた位置に取り付けられることで、アウタ側サイドフレームの外側にシートリフタの前後一対のリンクが設定されても、アウタ側サイドフレームの外側にシート幅方向の軸線まわりに回転操作されるタイプの操作レバーを各リンクと干渉させにくい形に設けることができる。
【０００８】
第２の発明は、上述した第１の発明において、次の構成とされているものである。操作レバーが、ブラケットの取付座にシート幅方向に軸を向ける回転軸により回転可能に軸支されると共に操作用のケーブルが繋がれる軸支部と、軸支部の前端からシート幅方向の外側に折れ曲がって前側へ延びる操作部と、を有するクランク形状とされる。
【０００９】
この第２の発明によれば、操作レバーの軸支部が前後一対のリンクとシート幅方向の配置が重なる状態に設けられても、操作レバーの操作部を各リンクと干渉させにくい形に設けることができる。
【図面の簡単な説明】
【００１０】
【図１】実施例１の乗物用シートの概略構成を表した斜視図である。
【図２】同側面図である。
【図３】同平面図である。
【図４】ブラケットをクッションフレームから外した状態を表した分解斜視図である。
【発明を実施するための形態】
【００１１】
以下に、本発明を実施するための形態について、図面を用いて説明する。
【実施例１】
【００１２】
《シート１の基本構成について》
始めに、実施例１のシート１（乗物用シート）の構成について、図１〜図４を用いて説明する。なお、以下の説明において、前後上下左右等の各方向を示す場合には、各図中に示されたそれぞれの方向を指すものとする。また、「シート幅方向」と示す場合には、シート１における左右方向を指し、「シート高さ方向」と示す場合には、シート１における上下方向を指すものとする。
【００１３】
本実施例のシート１は、図１に示すように、自動車の右側座席として構成されている。上述したシート１は、着座乗員の背凭れ部となるシートバック２と、着座部となるシートクッション３と、を備えている。上述したシートバック２は、その左右両サイドの下端部が、それぞれ、回転止め可能な回転軸装置として機能する不図示のリクライナを介して、シートクッション３の左右両サイドの後端部に背凭れ角度の調節を行える状態に連結されている。シートクッション３は、車両のフロア上に、左右一対のスライドレール４Ａを備えるスライドレール装置４を間に介してシート前後方向の位置調節を行える状態に連結されている。
【００１４】
上述したスライドレール装置４は、上述したシート前後方向の位置調節の他、変更前の位置を記憶して、位置変更後に変更前の位置へスライドを戻す移動によって変更前の位置に係止させられるよう作動するメモリ機構４Ｂを備えた構成とされている。なお、上述したメモリ機構４Ｂの具体的な構成については、特開２０１７−２１０１３６号公報等の文献に開示された公知の構成と略同一のものとなっているため、詳細な説明を省略することとする。
【００１５】
上述したシートクッション３は、上述したスライドレール装置４を構成する左右一対のスライドレール４Ａに対して、それぞれ、シートリフタ５を介してシート高さ方向にも位置調節を行える状態に連結されている。具体的には、上述したシートクッション３は、その骨格を成す金属製のクッションフレーム３Ｆが、左右一対のサイドフレーム３Ｆａと、各サイドフレーム３Ｆａの前端部間に架橋状に結合されたフロントパネル３Ｆｂと、を有し、各サイドフレーム３Ｆａの前部間と後部間とに更に丸パイプ材から成るフロントパイプ５Ｃとリヤパイプ５Ｄとがシート幅方向に架橋状に連結されることで、全体が平面視略四角枠状の形に組まれた構成とされている。
【００１６】
シートリフタ５は、上述したクッションフレーム３Ｆの各サイドフレーム３Ｆａの前部と各スライドレール４Ａの前部とを連結する左右一対のフロントリンク５Ａと、各サイドフレーム３Ｆａの後部と各スライドレール４Ａの後部とを連結する左右一対のリヤリンク５Ｂと、リヤパイプ５Ｄに昇降動作のための回動力やブレーキ力を伝達する駆動ユニット５Ｅと、を有して構成されている。
【００１７】
上述した右側（アウタ側）のフロントリンク５Ａとリヤリンク５Ｂは、それぞれ、右側（アウタ側）のサイドフレーム３Ｆａの右側に配置されている。また、左側のフロントリンク５Ａとリヤリンク５Ｂも、左側（インナ側）のサイドフレーム３Ｆａの右側（アウタ側）に配置されている。上述した各フロントリンク５Ａは、それらの上端部に上述した各サイドフレーム３Ｆａの前部間に貫通して差し込まれるフロントパイプ５Ｃが貫通して差し込まれることで、各側のサイドフレーム３Ｆａに対して回転可能に連結された状態とされている。そして、各フロントリンク５Ａの下端部は、上述した各スライドレール４Ａの前部に対して、シート幅方向に軸を向ける連結軸５Ａ１により回転可能に連結された状態とされている。ここで、上述した右側（アウタ側）のフロントリンク５Ａとリヤリンク５Ｂとが、それぞれ本発明の「前後一対のリンク」に相当する。
【００１８】
また、上述した各リヤリンク５Ｂも同様に、それらの上端部に上述した各サイドフレーム３Ｆａの後部間に貫通して差し込まれるリヤパイプ５Ｄが貫通して差し込まれることで、各側のサイドフレーム３Ｆａに対して回転可能に連結された状態とされている。上述したリヤパイプ５Ｄは、その差し込まれた各側のリヤリンク５Ｂの上端部と一体的に結合されており、各側のサイドフレーム３Ｆａに対しては回転可能に連結された状態とされている。そして、各リヤリンク５Ｂの下端部は、上述した各スライドレール４Ａの後部に対して、シート幅方向に軸を向ける連結軸５Ｂ１により回転可能に連結された状態とされている。
【００１９】
駆動ユニット５Ｅは、右側のサイドフレーム３Ｆａの右側面部に組み付けられている。上述した駆動ユニット５Ｅは、同駆動ユニット５Ｅに組み付けられた不図示のリフタレバーが上げ下げされる操作によって、その操作移動量を回転駆動力としてリヤパイプ５Ｄに伝達して、同リヤパイプ５Ｄに結合された各リヤリンク５Ｂを一斉に対応する操作方向に回転させるようになっている。そして、上記各リヤリンク５Ｂの回転に伴って、各フロントリンク５Ａも一斉に回転操作されて、シートクッション３の着座位置を対応する操作方向に上げたり下げたりするようになっている。また、上述した駆動ユニット５Ｅは、上述した不図示のリフタレバーの操作が解かれることにより、同リフタレバーを中立位置へと戻すと共に、リヤパイプ５Ｄに回転止めのブレーキ力を作用させて、シートクッション３の着座位置を上記不図示のリフタレバーの操作が止められた位置に固定するようになっている。
【００２０】
また、図２〜図４に示すように、上述したクッションフレーム３Ｆの右側（アウタ側）のサイドフレーム３Ｆａの右側面部には、金属製のブラケット１０が一体的に溶接されて組み付けられている。上述したブラケット１０は、１枚の平板材が台座状の形にプレス成形されて形成されている。具体的には、ブラケット１０は、シート幅方向に面を向ける取付座１１と、取付座１１の前側の縁部、後側の縁部及び上側の縁部からそれぞれ左側（シート幅方向の内側）へ折り曲げられた形となって延出する脚部１２と、を有する構成とされている。
【００２１】
上述したブラケット１０は、上述した各脚部１２の延出した先の縁部に形成されたシート幅方向に面を向ける形に折り曲げられた各座面部位１２Ａが、それぞれ右側のサイドフレーム３Ｆａの右側面部に面当接した状態に当てられてプロジェクション溶接により強固に一体的に結合された状態とされている。詳しくは、上述したブラケット１０は、上述した右側のサイドフレーム３Ｆａの右側面部におけるフロントリンク５Ａと駆動ユニット５Ｅとの間の配置間領域に組み付けられている。そして、上述したブラケット１０の取付座１１の右側面部には、前述したスライドレール装置４のメモリ機構４Ｂを操作する引き上げ操作式の操作レバー４Ｃが取り付けられている。
【００２２】
上述した操作レバー４Ｃは、シート幅方向に軸を向ける回転軸４Ｃ１により上述したブラケット１０の取付座１１の右側面部に回転可能に軸支された状態に組み付けられると共に後側から延びる操作用のケーブルＣａの端部が繋がれる軸支部４Ｃ２と、同軸支部４Ｃ２の前端からシート幅方向の外側に折れ曲がって前側へ延びる操作部４Ｃ３と、を有するクランク形状に形成されている。上述した操作レバー４Ｃは、常時は、上述した回転軸４Ｃ１から前側へ延び出る操作部４Ｃ３が略水平状の中立位置にバネ力により保持された状態とされており、上記のバネ力に抗して操作部４Ｃ３が使用者によって引き上げられる操作によりケーブルＣａを介して上述したメモリ機構４Ｂを操作する構成とされている。
【００２３】
上述した操作レバー４Ｃは、上述したブラケット１０を介して右側のサイドフレーム３Ｆａから右側にオフセットされた位置に設けられていることにより、同じく右側のサイドフレーム３Ｆａから右側にオフセットされた位置に設けられたフロントリンク５Ａや同フロントリンク５Ａから右側に張り出すフロントパイプ５Ｃとは干渉しにくい形に設けられた状態とされている。
【００２４】
そして、上述した操作レバー４Ｃは、上述した右側のサイドフレーム３Ｆａを被覆する不図示のサイドシールドがその中間部に空けられた通し孔内に先端側の操作部４Ｃ３を通しながらサイドフレーム３Ｆａに組み付けられることにより、そのクランク状に折り曲げられた箇所から後側の箇所である軸支部４Ｃ２が上述した不図示のサイドシールドによって外側から被覆されて、上記折り曲げ箇所から先の箇所である操作部４Ｃ３が外部に露出した状態に設けられた状態とされている。
【００２５】
《まとめ》
以上をまとめると、本実施例のシート１は、次のような構成とされている。すなわち、シートクッション（３）の高さを調節可能なシートリフタ（５）と、シートクッション（３）の前後方向の位置を調節可能かつ変更前の位置を機械的な係合により記憶してスライドが戻される動作により変更前の記憶位置に係止させるメモリ機構（４Ｂ）を備えたスライドレール装置（４）と、を有する乗物用シート（１）である。シートリフタ（５）が、シートクッション（３）のアウタ側サイドフレーム（３Ｆａ）の外側に配置されて互いに協働したリンク運動によりシートクッション（３）の高さを調節する前後一対のリンク（５Ａ，５Ｂ）を有する。アウタ側サイドフレーム（３Ｆａ）の外側面部における前後一対のリンク（５Ａ，５Ｂ）の配置間領域にブラケット（１０）が設けられる。ブラケット（１０）のアウタ側サイドフレーム（３Ｆａ）の外側面部から外側に張り出した位置に形成されたシート幅方向に面を向ける取付座（１１）の外側面部にシート幅方向に延びる軸線まわりの回転操作によりメモリ機構（４Ｂ）を操作する操作レバー（４Ｃ）が取り付けられる。
【００２６】
このように、操作レバー（４Ｃ）がブラケット（１０）を介してアウタ側サイドフレーム（３Ｆａ）から外側にオフセットされた位置に取り付けられることで、アウタ側サイドフレーム（３Ｆａ）の外側にシートリフタ（５）の前後一対のリンク（５Ａ，５Ｂ）が設けられる構成であっても、アウタ側サイドフレーム（３Ｆａ）の外側にシート幅方向の軸線まわりに回転操作されるタイプの操作レバー（４Ｃ）を各リンク（５Ａ，５Ｂ）と干渉させにくい形に設けることができる。
【００２７】
また、操作レバー（４Ｃ）が、ブラケット（１０）の取付座（１１）にシート幅方向に軸を向ける回転軸（４Ｃ１）により回転可能に軸支されると共に操作用のケーブル（Ｃａ）が繋がれる軸支部（４Ｃ２）と、軸支部（４Ｃ２）の前端からシート幅方向の外側に折れ曲がって前側へ延びる操作部（４Ｃ３）と、を有するクランク形状とされる。
【００２８】
このような構成とされていることにより、操作レバー（４Ｃ）の軸支部（４Ｃ２）が前後一対のリンク（５Ａ，５Ｂ）とシート幅方向の配置が重なる状態に設けられても、操作レバー（４Ｃ）の操作部（４Ｃ３）を各リンク（５Ａ，５Ｂ）と干渉させにくい形に設けることができる。
【００２９】
《その他の実施形態について》
以上、本発明の実施形態を１つの実施例を用いて説明したが、本発明は上記実施例のほか各種の形態で実施することができるものである。例えば、本発明の「乗物用シート」は、自動車の右側座席以外のシートにも適用することができる他、鉄道等の自動車以外の車両や、航空機、船舶等の他の乗物用に供されるシートにも広く適用することができるものである。
【００３０】
また、操作レバーは、回転軸から前側へ延び出る部分が中立位置から引き上げられる操作タイプであっても良いが、回転軸から後側へ延び出る部分が中立位置から引き上げられる操作タイプの構成であってもよい。
【符号の説明】
【００３１】
１      シート（乗物用シート）
２      シートバック
３      シートクッション
３Ｆ    クッションフレーム
３Ｆａ  サイドフレーム
３Ｆｂ  フロントパネル
４      スライドレール装置
４Ａ    スライドレール
４Ｂ    メモリ機構
４Ｃ    操作レバー
４Ｃ１  回転軸
４Ｃ２  軸支部
４Ｃ３  操作部
５      シートリフタ
５Ａ    フロントリンク（リンク）
５Ａ１  連結軸
５Ｂ    リヤリンク（リンク）
５Ｂ１  連結軸
５Ｃ    フロントパイプ
５Ｄ    リヤパイプ
５Ｅ    駆動ユニット
１０    ブラケット
１１    取付座
１２    脚部
１２Ａ  座面部位
Ｃａ    ケーブル
【図１】
2019189067.tif 000003
【図２】
2019189067.tif 000004
【図３】
2019189067.tif 000005
【図４】
2019189067.tif 000006